(57)【要約】【課題】    道路標識を従来より明確に認知出来ること。【解決手段】  表示面又は文字又は記号面を傾斜させる。【選択図】        図５
2008215032.tif 000002
【特許請求の範囲】
【請求項１】
表示面が傾斜して表示面に太陽や雨など自然現象を利用してもっとよく見えるようにする事を特徴とする道路標識。
【発明の詳細な説明】
【技術分野】
【０００１】
本発明は道路標識に関する。
【背景技術】
【０００２】
道路標識。
【発明の開示】
【発明が解決しようとする課題】
【０００３】
道路標識を従来より明確に認知出来ること。
【課題を解決するための手段】
【０００４】
太陽や雨など自然現象を利用してもっとよく見えるようにする。
【発明の効果】
【０００５】
従来の道路標識よりもよく見えるので、交通事故の防止や道を間違える事を防止出来る。
【発明の実施するための最良の形態】
【０００６】
表示面又は文字又は記号面を傾斜させる。
【実施例１】
【０００７】
本発明実施例を以下図面に基づき説明する。
図１は公知の道路標識で、表示面１がポール２に支えられている。図２も公知例で、図１を側面から見た図であり、表示面１がクランプ３とかしめボルト４に柱２に固定されている。公知の道路標識は図２に示すごとく表示面が垂直であるので太陽光５を受けにくい。図３も公知例の水平断面図で表示面１が垂直であることを示す。２はポール、３はクランプ、４はかしめボルトである。
【０００８】
図４は本発明実施例を示す。人や車から見た表示は公知の図１と同じように見える。６は表示面、２はポールである。図５は本発明実施例を側方から見た図である。表示面６が約４５度に傾斜している。従って、クランプ７は表示面が傾斜するようなクランプである。これをかしめボルト４で固定する。２はポールである。
本発明は上記のようになっているので、太陽光８が表示面６に当たって人又は車の方向に反射するので、従来の道路標識より見やすくなり、認知度が上がるので、事故防止や道を間違える事が少なくなる。
図６は本発明を上方向から見た図で、表示面６が見え、公知の図３の場合は見えないのと大いに違ってくる。
尚、本発明は図５のごとくほぼ４５度に傾斜しており、図４のごとく、通常通りに見えるようにするため、表示は縦長の細長い表示とする。図７も本発明、他の実施例であって、表示面９の上に光合成除汚コーティング１０をコーティングしたものである。本発明表示板９が傾斜しているので、雨１１が表示板上に落ち、且つ表示板に太陽光１２が降り注ぎ、光合成により表示面９に付いた汚れを浮かせ、これを雨１１により流し落とすので、表示面９は常に鮮明に見える。
【０００９】
図８は本発明他の実施例で、表示板１４は傾斜していないが、文字や記号など部分のみ１３、１６、１７のごとく傾斜させる。従ってその傾斜した部分の後ろは１５のごとく空間になる。図８はこれを横断面でみたのであるが、これを正面から見たのが図９である。図９は実施例として「A」の文字を示した。キリトリ線１９、２０、２２を入れ、折り線１８、２１、２３で折り、１５、１６、１７の部分をほぼ４５度で立ち上げる。この断面は図８のようになるが、正面から見ると図９のごとく「A」として認識され、且つ「A」の文字のそれぞれのエレメントが４５度をなし、この部分が太陽光が強く受けることとなるので図５の実施例と同様認識度が従来の標識よる強くなるし、図７のごとく光合成により汚れを自動的に取り、認識度を上げる事が出来る。
【００１０】
図１０も本発明実施例で、例えば互いに直角する道路標識２４、２５を示す。
図１１は文字以外の例えば進入禁止記号に本発明を実施した例で、進入禁止板が全体に傾斜してポール２に付けられている。
図１２も本発明実施例を示し、大型交通標識にも本発明を実施した例で、表示板２７全体を傾斜させてポール２に取り付けたものである。
本発明は上記のほか、文字部分をメッキする事によりその部分がほぼ４５度に傾斜しているので、太陽光を受け、ここで反射して車や人等に光を当てるので遠くからでも認知出来る、道路標識ではなく名札に利用する、等々種々のものが考えられるが、これらは全て本発明に含まれるものである。
【産業上の利用可能性】
【００１１】
道路標識は車社会において絶対に必要なものであるが、従来の標識は見にくく、事故のもとになったり、または道を間違えるなどして運送コストの増大や渋滞など産業上極めてマイナス面を生じていた。本発明は遠くからでも、また天候が悪くても良く見える道路標識であって、これにより前記のマイナス面が無くなり、産業上の効果が絶大である。
【図面の簡単な説明】
【００１２】
【図１】公知の道路標識の正面図
【図２】図１公知の道路標識の側面図
【図３】図１公知の道路標識の上面図
【図４】本発明実施例の正面図
【図５】図４本発明実施例の側面図
【図６】図４本発明実施例の上面図
【図７】図４本発明実施例の表示面の上に光合成除汚              コーティングをした本発明実施例
【図８】表示文字、記号のみを傾斜させた              本発明実施例の側面図
【図９】表示文字、記号のみを傾斜させた              本発明実施例の正面図
【図１０】標識が互いに直角する本発明実施例の正面図
【図１１】進入禁止記号に本発明を実施例の見取り図
【図１２】大型交通標識に本発明を実施した正面図
【符号の説明】
【００１３】
1      公知の道路標識
2      ポール
3      公知のクランプ
4      クランプを締め付けるボルト
5       真上からの太陽光（表示面に当たらず）
6      本発明傾斜した表示面
7      本発明傾斜した表示面を支持するクランプ
8      本発明表示板に反射して前方に照射する太陽光
9      本発明自動除汚傾斜表示板
10     本発明光合成除汚コーティング（表示板）
11     雨水と太陽光による光合成除汚雨水
12     汚光合成のための太陽光
13     表示文字部分傾斜部
14     明表示平面部
15     文字裏空洞
16     表示文字部分傾斜部
17     表示文字部分傾斜部
18     表示板の文字記号等の折れ目（Aの左部分）
19     表示文字記号の切り抜き線（Aの左部分）
20     表示文字記号の切り抜き線（Aの水平部分）
21     表示板の文字記号等の折れ目（Aの水平部分）
22     本発明表示文字記号の切り抜き線（Aの右部分）
23     本発明表示板の文字記号等の折れ目（Aの右部分）
24     本発明道路文字標識の直交の片側の例
25     本発明道路文字標識の直交の片側の例
26     本発明道路記号標識板
27     本発明大型掲示板
【図１】
2008215032.tif 000003
【図２】
2008215032.tif 000004
【図３】
2008215032.tif 000005
【図４】
2008215032.tif 000006
【図５】
2008215032.tif 000007
【図６】
2008215032.tif 000008
【図７】
2008215032.tif 000009
【図８】
2008215032.tif 000010
【図９】
2008215032.tif 000011
【図１０】
2008215032.tif 000012
【図１１】
2008215032.tif 000013
【図１２】
2008215032.tif 000014